(57)【要約】【課題】たとえ出力用循環回路内を循環する湯水内にエアーが混入していても、そのエアーを速やかに湯水から分離して外部へ排出することにより、エアー混入による振動や騒音の発生を抑制することのできる貯湯式給湯装置。【解決手段】上部にエアー抜き手段８，９を有し、湯水取り出し路１９が底部に接続された貯湯タンク１と、湯水取り出し路１９から取り出した湯水を加熱して貯湯タンクの上部に戻す加熱用循環回路Ｅと、加熱された湯水を放熱する出力用循環回路Ｆとを備えた貯湯式給湯装置で、エアーセパレータ２１が、出力用循環回路Ｆに介在されて貯湯タンク１より下方に配置され、湯水取り出し路１９が、エアーセパレータ２１の上部に接続され、湯水取り出し路１９の接続箇所より下方において、出力用循環回路Ｆの循環上流側が、循環上流側の接続箇所より下方において、循環下流側が、エアーセパレータ２１に接続されている。【選択図】　　　　図１
2004125301.tif 000002
【特許請求の範囲】
【請求項１】
上部にエアー抜き手段を有して、給湯路が上部に、湯水取り出し路が底部に接続された貯湯タンクと、
前記湯水取り出し路から取り出した前記貯湯タンク内の湯水を加熱手段を通過させて加熱し、その加熱された湯水を前記貯湯タンクの上部に戻す加熱用循環回路と、
前記加熱手段により加熱された湯水を外部放熱手段を通過させて放熱する出力用循環回路とを備えた貯湯式給湯装置であって、
前記出力用循環回路内の湯水からエアーを分離するエアーセパレータが、前記出力用循環回路に介在されて前記貯湯タンクより下方に配置され、
前記湯水取り出し路が、前記エアーセパレータの上部に接続されるとともに、その湯水取り出し路の接続箇所より下方において、前記出力用循環回路の循環上流側が、前記エアーセパレータに接続され、
その循環上流側の接続箇所より下方において、前記出力用循環回路の循環下流側が、前記エアーセパレータに接続されている貯湯式給湯装置。
【請求項２】
前記エアー抜き手段が、前記貯湯タンクに接続されたエアー抜き路とそのエアー抜き路に設けられたエアー抜き弁で構成され、
そのエアー抜き路、前記給湯路、および、前記加熱用循環回路の一部が、前記貯湯タンクの上部に接続された１本の管により共用されている請求項１に記載の貯湯式給湯装置。
【請求項３】
前記加熱手段が、バーナ燃焼式の加熱装置を含む請求項１または２に記載の貯湯式給湯装置。
【発明の詳細な説明】
【０００１】
【発明の属する技術分野】
本発明は、上部にエアー抜き手段を有して、給湯路が上部に、湯水取り出し路が底部に接続された貯湯タンクと、前記湯水取り出し路から取り出した前記貯湯タンク内の湯水を加熱手段を通過させて加熱し、その加熱された湯水を前記貯湯タンクの上部に戻す加熱用循環回路と、前記加熱手段により加熱された湯水を外部放熱手段を通過させて放熱する出力用循環回路とを備えた貯湯式給湯装置に関する。
【０００２】
【従来の技術】
このような貯湯式給湯装置は、貯湯タンクから取り出した湯水を加熱用循環回路に沿って循環させながら加熱手段により加熱して貯湯タンクに戻す貯湯運転を実行し、また、加熱手段により加熱された湯水を出力用循環回路に沿って循環させながら、例えば、暖房装置の熱媒と熱交換する暖房用放熱部や浴槽内の湯水と熱交換して追焚きする風呂用放熱部などの外部放熱手段により放熱させて、暖房用熱媒や浴槽内の湯水を加熱する放熱運転を実行するもので、従来、貯湯タンクの上部にオーバーフロー路を接続し、そのオーバーフロー路にエアー抜き弁を設け、湯水に混入したエアーを貯湯タンク内において浮上させて分離し、エアー抜き弁から外部へ排出するように構成したものが知られている（例えば、特許文献１参照）。
【０００３】
【特許文献１】
特開２００１−２９６０５７号公報（第３頁、図１）
【０００４】
【発明が解決しようとする課題】
しかし、上記公報に記載の従来装置では、湯水からエアーを分離させて外部へ排出するためには、エアーの混入した湯水が貯湯タンクに入るのが条件となるため、エアーの分離排出に時間を要するという問題があった。
つまり、上述した放熱運転では、湯水が出力用循環回路内を何度も繰り返し循環する可能性があるため、その湯水内にエアーが混入していると、エアーの分離排出に時間を要し、その間、エアーの混入した湯水の循環によって振動が発生したり、給湯時にエアーの混入した湯水が給湯されて騒音発生の原因となるおそれがあった。
【０００５】
本発明は、このような従来の問題点に着目したもので、その目的は、たとえ出力用循環回路内を循環する湯水内にエアーが混入していても、そのエアーを速やかに湯水から分離して外部へ排出することにより、エアー混入による振動や騒音の発生を抑制することのできる貯湯式給湯装置を提供することにある。
【０００６】
【課題を解決するための手段】
この目的を達成するため、請求項１に記載の発明によれば、上部にエアー抜き手段を有して、給湯路が上部に、湯水取り出し路が底部に接続された貯湯タンクと、前記湯水取り出し路から取り出した前記貯湯タンク内の湯水を加熱手段を通過させて加熱し、その加熱された湯水を前記貯湯タンクの上部に戻す加熱用循環回路と、前記加熱手段により加熱された湯水を外部放熱手段を通過させて放熱する出力用循環回路とを備えた貯湯式給湯装置であって、前記出力用循環回路内の湯水からエアーを分離するエアーセパレータが、前記出力用循環回路に介在されて前記貯湯タンクより下方に配置され、前記湯水取り出し路が、前記エアーセパレータの上部に接続されるとともに、その湯水取り出し路の接続箇所より下方において、前記出力用循環回路の循環上流側が、前記エアーセパレータに接続され、その循環上流側の接続箇所より下方において、前記出力用循環回路の循環下流側が、前記エアーセパレータに接続されている。
【０００７】
すなわち、湯水取り出し路から取り出した貯湯タンク内の湯水を加熱手段を通過させて加熱し、その加熱された湯水を外部放熱手段を通過させて放熱する出力用循環回路において、その出力用循環回路内の湯水からエアーを分離するエアーセパレータが介在され、そのエアーセパレータに対して、出力用循環回路の循環上流側が上方で、循環下流側が下方で接続されているので、循環される湯水がエアーセパレータ内を通流する際、湯水に混入したエアーは、エアーセパレータ内において上方へ浮上することになる。
そして、そのエアーセパレータは、貯湯タンクより下方に配置され、しかも、エアーセパレータの上部に湯水取り出し路が接続されているので、上方へ浮上したエアーは、湯水取り出し路を通って貯湯タンク内に入り、最終的に、貯湯タンクの上部に設けられたエアー抜き手段から排出されることになる。
そのため、たとえ出力用循環回路内を循環する湯水内にエアーが混入していても、そのエアーはエアーセパレータ内を通流する際に確実に分離され、したがって、エアーの混入した湯水が出力用循環回路内を何度も繰り返し循環されることが回避され、エアー混入による振動や騒音の発生が抑制される。
【０００８】
請求項２に記載の発明によれば、前記エアー抜き手段が、前記貯湯タンクに接続されたエアー抜き路とそのエアー抜き路に設けられたエアー抜き弁で構成され、そのエアー抜き路、前記給湯路、および、前記加熱用循環回路の一部が、前記貯湯タンクの上部に接続された１本の管により共用されている。
【０００９】
すなわち、エアー抜き手段が、エアー抜き弁を有するエアー抜き路で構成されて、そのエアー抜き路の一部と給湯路の一部、さらには、加熱用循環回路の一部も１本の管により共用されて貯湯タンクの上部に接続されているので、貯湯タンク上部への配管系を必要最小限にとどめて構造の簡素化を図ることができるとともに、貯湯タンクの水密性確保の面でも有利となる。
【００１０】
請求項３に記載の発明によれば、前記加熱手段が、バーナ燃焼式の加熱装置を含んでいる。
【００１１】
すなわち、加熱手段がバーナ燃焼式の加熱装置を含んでいるので、バーナの燃焼により湯水を迅速に加熱することができるとともに、燃料供給量の調整などにより、比較的容易に湯水の温度を所望温度に調整することができる。
その反面、湯水内にエアーが混入していると、突沸音の発生により大きな騒音や振動発生の原因となるが、上述したように、エアーを迅速に分離排出することができるので、突沸による騒音や振動の発生を抑制しながら、バーナの燃焼により湯水を所望する温度にまで迅速に加熱することができる。
【００１２】
【発明の実施の形態】
本発明による貯湯式給湯装置をエンジンヒートポンプ式冷暖房給湯システムに適応した例を図面に基づいて説明する。
このエンジンヒートポンプ式冷暖房給湯システムは、図１および図２に示すように、貯湯タンク１内に温度成層を形成しながら貯湯したり、貯湯タンク１内に貯湯された湯水を給湯したり、貯湯タンク１内の湯水を加熱して外部放熱手段としての外部放熱部２にて放熱する貯湯ユニットＡと、空調対象空間の空調運転と貯湯タンク１内の湯水を加熱するための加熱運転を実行するエンジンヒートポンプ式冷暖房装置Ｂとから構成され、貯湯ユニットＡは、貯湯ユニット制御部Ｃを備え、エンジンヒートポンプ式冷暖房装置Ｂは、ヒートポンプ運転制御部Ｄを備えている。
【００１３】
前記貯湯ユニットＡは、貯湯タンク１や外部放熱部２に加えて、貯湯タンク１内の湯水を循環するための循環路３、循環路３を通流する湯水を加熱する加熱手段としての加熱部４などを備え、貯湯ユニット制御部Ｃによる制御の基で、循環ポンプＰ１を作動させて貯湯タンク１内の湯水を循環路３にて循環しながら、加熱部４にて加熱したり、外部放熱部２にて放熱するように構成されている。
貯湯タンク１内には、その湯温を検出することにより貯湯量を検出する合計５つのサーミスタＳ１〜Ｓ５が設けられ、最上部のサーミスタＳ１は、貯湯量が最低確保以上であるか否かを、底部のサーミスタＳ５は、貯湯量が満以上であるか否かを、中間のサーミスタＳ２，Ｓ３，Ｓ４は、貯湯量がそれぞれに対応した量以上であるか否かを検出するためのもので、使用者の要求により図外の貯湯リモコンなどで貯湯タンク１内の目標貯湯量を選択できるように構成されている。
【００１４】
前記貯湯タンク１の底部には、貯湯タンク１に水道水圧を用いて給水する給水路５が接続され、貯湯タンク１の上部には、１本の管からなる上部接続路６が接続されて、その上部接続路６を介して貯湯タンク１から風呂場や台所などに給湯するための給湯路７が接続され、風呂場や台所などで使用された量だけの水を給水路５から貯湯タンク１に給水するように構成されている。
貯湯タンク１の上部には、上部接続路６を介してエアー抜き路８が接続され、そのエアー抜き路８には、エアー抜き弁９が設けられている。これらエアー抜き路８とエアー抜き弁９は、エアー抜き手段を構成するもので、貯湯タンク１内のエアーを上部接続路６とエアー抜き路８を介してエアー抜き弁９にまで誘導し、エアー抜き弁９から外部へ排出するように構成されている。
【００１５】
前記給湯路７には、給水路５から分岐された混合用給水路１０が、その混合用給水路１０からの水と給湯路７からの湯水との混合比を調整するミキシングバルブ１１を介して接続され、給水路５と混合用給水路１０には逆止弁１２が、また、給水路５における混合用給水路１０の分岐箇所よりも上流側には給水温度を検出する給水サーミスタ１３が設けられている。
給湯路７におけるミキシングバルブ１１よりも上流側には、貯湯タンク１から給湯路７に給湯された湯水の温度を検出する貯湯出口サーミスタ１４が設けられ、ミキシングバルブ１１よりも下流側には、給湯路７の湯水の流量を調整する給湯用水比例バルブ１５、ミキシングバルブ１１にて混合された後の湯水の温度を検出するミキシングサーミスタ１６が設けられている。
【００１６】
図示はしないが、そのミキシングサーミスタ１６よりも下流側において、前記給湯路７は、台所や洗面所などの給湯栓に給湯するための一般給湯路と、浴槽に湯水を供給するための湯張り路とに分岐されている。
そして、一般給湯路に給湯する際には、貯湯出口サーミスタ１４や給水サーミスタ１３の検出情報に基づいてミキシングバルブ１１の開度を調整するとともに、ミキシングサーミスタ１６の検出情報に基づいてミキシングバルブ１１の開度を微調整して、給湯設定温度の湯水を給湯するように、また、湯張りする際には、同様の制御により湯張り設定温度の湯水で浴槽に湯張りするように構成されている。
【００１７】
前記循環路３は、貯湯タンク１内の湯水を取り出して循環させ、その循環に伴って湯水を加熱して貯湯タンク１内に戻したりするもので、そのため、循環路３と貯湯タンク１の上部とは、上部接続路６を介して部分循環路１７により接続されている。つまり、１本の管からなる上部接続路６が、給湯路７の一部とエアー抜き路８の一部、さらには、循環路３の一部も共用し、部分循環路１７には上部開閉弁１８が設けられている。
前記貯湯タンク１の底部には、貯湯タンク１内の底部の湯水を取り出す取り出し路１９が接続され、その湯水取り出し路１９には、貯湯タンク１から取り出した湯水の温度を検出する取り出しサーミスタ２０が設けられ、湯水内に混入したエアーを湯水から分離するためのエアーセパレータ２１を介して循環路３に連通接続されている。
このようにして、貯湯タンク１の底部に接続の湯水取り出し路１９、循環路３、部分循環路１７、上部接続路６により、貯湯タンク１の底部から取り出した湯水を加熱部４を通過させて加熱して、貯湯タンク１の上部に戻す加熱用循環回路Ｅが構成されている。
【００１８】
この加熱用循環回路Ｅに設けられる加熱部４は、エンジンヒートポンプ式冷暖房装置Ｂによる冷媒を供給して湯水を加熱するヒートポンプ式の加熱装置２２と、エンジンヒートポンプ式冷暖房装置Ｂのエンジン排熱を回収した冷却水を供給して湯水を加熱するエンジン排熱利用式の加熱装置２３と、バーナの燃焼により湯水を加熱するバーナ燃焼式の加熱装置２４から構成され、湯水循環方向の上流側から、ヒートポンプ式加熱装置２２、エンジン排熱利用式加熱装置２３、バーナ燃焼式加熱装置２４の順に配設されている。
バーナ燃焼式加熱装置２４は、図示はしないが、ガス燃焼式のバーナとバーナに燃焼用空気を供給するファンなどを備え、ファンの回転速度およびバーナへの燃料ガス供給量を調整しながら、バーナの燃焼により加熱用循環回路Ｅを通流する湯水を加熱して湯水の温度を調整するように構成され、その循環回路Ｅには、湯水循環方向の上流側から順に、循環ポンプＰ１、ヒートポンプ式加熱装置用入口サーミスタ２５、ヒートポンプ式加熱装置用開閉弁２６、排熱利用式加熱装置出口サーミスタ２７、循環流量センサ２８、循環流量調整弁２９、貯湯サーミスタ３０などが設けられている。
【００１９】
前記循環路３に設けられる外部放熱部２は、循環路３を通流する湯水と暖房用の熱媒としての温水とを熱交換する暖房用放熱部３１、循環路３を通流する湯水と浴槽内の湯水とを熱交換して追焚きする風呂用放熱部３２から構成され、循環路３が暖房用放熱部３１を備えた暖房用循環路３ａと風呂用放熱部３２を備えた風呂用循環路３ｂに分岐されて、暖房用放熱部３１と風呂用放熱部３２が並列に接続されている。
前記暖房用放熱部３１より上流側の暖房用循環路３ａには暖房用開閉弁３３が、風呂用放熱部３２より上流側の風呂用循環路３ｂには風呂用開閉弁３４が設けられ、両循環路３ａ，３ｂの合流箇所より下流側には放熱戻りサーミスタ３５が設けられて、前記エアーセパレータ２１に接続されている。
このようにして、循環路３，３ａ，３ｂにより、つまり、加熱用循環回路Ｅの一部を共用する状態で、加熱部４により加熱された湯水を外部放熱部２を通過させて放熱する出力用循環回路Ｆが構成され、その出力用循環回路Ｆにエアーセパレータ２１が介在された構成とされている。
【００２０】
前記エアーセパレータ２１は、出力用循環回路Ｆ内の湯水からエアーを分離するためのもので、図３の（イ）、（ロ）に示すように、金属製の円筒状中空容器で構成され、上方に位置する上方入口部２１ａ、中央に位置する中央入口部２１ｂ、下方に位置する出口部２１ｃ、および、排水栓２１ｄなどを備え、上方入口部２１ａを上にし、排水栓２１ｄを下にして貯湯タンク１よりも下方に配置されている。
そのエアーセパレータ２１に対して、上方入口部２１ａには、湯水取り出し路１９が接続され、中央入口部２１ｂには、暖房用循環路３ａと風呂用循環路３ｂとの合流後の循環路３、つまり、出力用循環回路Ｆの上流側が接続され、出口部２１ｃには、出力用循環回路Ｆの下流側が接続されて、出力用循環回路Ｆと湯水取り出し路１９が互いに連通されている。
【００２１】
すなわち、エアーセパレータ２１の中空部に対して、湯水取り出し路１９が上方箇所ａで接続され、その湯水取り出し路１９の接続箇所ａより下方の中央箇所ｂにおいて、出力用循環回路Ｆの上流側が接続され、その上流側の接続箇所ｂより下方箇所ｃにおいて、出力用循環回路Ｆの下流側が接続されている。
そして、出力用循環回路Ｆ内を循環する湯水にエアーが混入していると、エアーセパレータ２１の中空部において、その混入エアーが上方へ浮上し、湯水取り出し路１９から貯湯タンク１内へ入り、上部接続路６とエアー抜き路８を通って、最終的に、エアー抜き弁９から外部へ排出されるように構成されている。
【００２２】
前記エンジンヒートポンプ式冷暖房装置Ｂは、複数の室内機３６とひとつの室外機３７を備え、ヒートポンプ運転制御部Ｄによる制御の基で、複数の空調対象空間（例えば、各部屋）を空調するように構成され、その室内機３６と室外機３７および貯湯ユニットＡにおけるヒートポンプ式加熱装置２２とが、加熱用電子膨張弁３８を備えた冷媒配管３９により接続されて、エンジンヒートポンプ式冷暖房装置Ｂにおける冷媒をヒートポンプ式加熱装置２２に供給できるように構成されている。
各室内機３６は、電子膨張弁４０、室内熱交換器４１、その室内熱交換器４１で温調した空気を空調対象空間へ送出する室内空調用送風機４２を備え、室内熱交換器４１にて凝縮された冷媒の温度を検出する冷媒サーミスタ４３の検出情報に基づいて、電子膨張弁４０の開度を調整するように構成されている。
室外機３７は、ガスエンジン４４、圧縮機４５、アキュムレータ４６、四方弁４７、室外熱交換器４８、その室外熱交換器４８に対し外気を通風する室外空調用送風機４９を備え、ガスエンジン４４の排熱を外部に放熱するためのラジエーター５０とラジエーター用送風機５１も備えている。
【００２３】
前記ガスエンジン４４とラジエーター５０の間には、冷却水を循環させるための循環ポンプＰ２を備えた冷却水路５２が設けられ、かつ、その冷却水路５２には排熱切換機構５３が設けられていて、ガスエンジン４４の排熱を回収した後の冷却水を加熱供給路５４を介してエンジン排熱利用式加熱装置２３に供給する加熱状態とラジエーター５０に供給して排熱させる排熱状態とに切り換え自在に構成されている。
そして、このエンジンヒートポンプ式冷暖房装置Ｂは、ヒートポンプ運転制御部Ｄにより制御され、ガスエンジン４４により圧縮機４５を作動して、四方弁４７の切換え操作により冷房運転と暖房運転とを選択して実行できるように構成されている。
【００２４】
すなわち、冷房運転においては、図２において実線で示すように冷媒を流動させ、室内熱交換器４１を蒸発器として機能させて、空調対象空間への供給空気を冷却温調し、室外熱交換器４８を凝縮器として機能させて外気に対して放熱するように、また、暖房運転においては、図２において点線で示すように冷媒を流動させ、室内熱交換器４１を凝縮器として機能させて、空調対象空間への供給空気を加熱温調し、室外熱交換器４８を蒸発器として機能させて外気から吸熱するように構成されている。
そして、この暖房運転において、加熱用電子膨張弁３８を開弁状態にして、冷媒配管３９を介してヒートポンプ式加熱装置２２に高圧冷媒を供給することにより加熱用循環回路Ｅを通流する湯水を加熱するように、また、冷房運転および暖房運転において、排熱切換機構５３を加熱状態に切り換えることによって、エンジン排熱利用式加熱装置２３に冷却水を供給することにより加熱用循環回路Ｅを通流する湯水を加熱するように構成されている。
【００２５】
このような構成のエンジンヒートポンプ式冷暖房給湯システムは、貯湯ユニット制御部Ｃやヒートポンプ運転制御部Ｄをはじめとして、図外の各種制御手段による制御の基で種々の運転を実行するのであり、その運転のうち、本発明による貯湯式給湯装置に関連する給湯運転、貯湯運転、放熱運転などについて簡単に説明する。
【００２６】
給湯運転では、貯湯タンク１の貯湯量が最低確保量以上あれば、給水路５から貯湯タンク１内に給水され、その水道水圧によって、貯湯タンク１内の湯水が上部接続路６から給湯路７に供給され、貯湯出口サーミスタ１４と給水サーミスタ１３の検出情報に基づいてミキシングバルブ１１の開度が調整され、かつ、ミキシングサーミスタ１６の検出情報に基づいてミキシングバルブ１１の開度が微調整されて、一般給湯においては給湯設定温度の湯水が、湯張り給湯においては湯張り設定温度の湯水が給湯されるように構成されている。
そして、貯湯タンク１の貯湯量が最低確保量未満であれば、バーナ燃焼式加熱装置２４により加熱された湯水が部分循環路１７を介して給湯路７に供給され、上述と同様に、ミキシングバルブ１１の開度調整と微調整によって、湯温が調整されて給湯されるように構成されている。
【００２７】
貯湯運転では、循環ポンプＰ１が作動して、貯湯タンク１内の湯水を湯水取り出し路１９からエアーセパレータ２１を介して加熱用循環回路Ｅ内に取り出して循環させる。その循環により、貯湯タンク１から取り出された湯水は、エンジン排熱利用式加熱装置２３とバーナ燃焼式加熱装置２４を通過して加熱され、場合によっては、ヒートポンプ式加熱装置２２によっても加熱される。
すなわち、エンジンヒートポンプ式冷暖房装置Ｂが冷房運転中であれば、ガスエンジン４４からの冷却水が、加熱供給路５４を介してエンジン排熱利用式加熱装置２３に供給され、暖房運転中であれば、ガスエンジン４４からの冷却水が、エンジン排熱利用式加熱装置２３に供給され、さらに、エンジンヒートポンプ式冷暖房装置Ｂの冷媒も、ヒートポンプ式加熱装置２２に供給され、いずれの場合にも、バーナ燃焼式加熱装置２４の加熱量調整により、貯湯サーミスタ３０による検出温度が貯湯設定温度（例えば、８０℃）になるように加熱され、部分循環路１７と上部接続路６を通って貯湯タンク１の上部に戻される。
【００２８】
放熱運転では、循環ポンプＰ１が作動して、貯湯タンク１内の湯水を湯水取り出し路１９からエアーセパレータ２１を介して出力用循環回路Ｆ内に取り出して循環させ、貯湯タンク１から取り出された湯水は、上述した貯湯運転と同様に、エンジン排熱利用式加熱装置２３とバーナ燃焼式加熱装置２４を通過して加熱され、場合によっては、ヒートポンプ式加熱装置２２によっても加熱される。
そして、この放熱運転においては、加熱された後の湯水が、暖房用循環路３ａを通って暖房用放熱部３１により、例えば、図外の床暖房装置や浴室暖房装置の熱媒を加熱して放熱したり、風呂用循環路３ｂを通って風呂用放熱部３２により、図外浴槽内の湯水を加熱して追焚き運転を実行するのであり、その際、循環する湯水内にエアーが混入していると、上述したように、エアーセパレータ２１の中空部内において上方へ浮上して分離され、最終的に、エアー抜き弁９から外部へ排出されるのである。
【００２９】
〔別実施形態〕
つぎに、別の実施形態について説明するが、重複説明を避けるため、先の実施形態で説明したのと同じ構成や同じ作用を有する構成については、同じ符号を付すことで説明を省略し、主として先の実施形態と異なる構成についてのみ説明する。
【００３０】
（１）先の実施形態では、貯湯タンク１の上部に上部接続路６のみを接続し、その上部接続路６が、給湯路７の一部とエアー抜き路８の一部、さらには、加熱用循環回路Ｅの一部も共用する構成を示したが、貯湯タンク１の上部に対し、上部接続路６とは別に、加熱用循環回路Ｅを構成する専用の上部接続路を接続して構成することもでき、その例を示したのが図４である。
この図４に示す別の実施形態では、貯湯タンク１の上部に対し、上部接続路６に加えて、加熱用循環回路Ｅを構成する専用の加熱用上部接続路５５が接続され、その加熱用上部接続路５５に流量調整弁５７が設けられ、バーナ燃焼式加熱装置２４の出口側に流量制御弁５６が設けられていて、上部接続路６が、給湯路７の一部とエアー抜き路８の一部を共用するように構成されている。
【００３１】
（２）先の実施形態では、本発明による貯湯式給湯装置をエンジンヒートポンプ式冷暖房装置Ｂと組み合わせ、バーナ燃焼式加熱装置２４に加えて、エンジンヒートポンプ式冷暖房装置Ｂの排熱などを加熱源とする加熱装置２２，２３により湯水を加熱する構成を示したが、エンジンヒートポンプ式冷暖房装置Ｂに代えて、ガスエンジン発電機、燃料電池、ソーラーシステムなどの各種装置と組み合わせて、その組み合わせた装置からの排熱などを加熱源とする加熱装置により湯水を加熱するように構成することもできる。
また、エアー抜き手段の一例として、エアー抜き路８とそのエアー抜き路８に設けたエアー抜き弁９を示したが、エアー抜き手段に関しては、特にエアー抜き路８とエアー抜き弁９に限るものではなく、種々の構成のエアー抜き手段を設けて実施することができる。
【図面の簡単な説明】
【図１】貯湯ユニットの概略構成図
【図２】エンジンヒートポンプ式冷暖房装置の概略構成図
【図３】エアーセパレータの一部切欠き正面図と側面図
【図４】別の実施形態による貯湯ユニットの概略構成図
【符号の説明】
１　　　　　貯湯タンク
２　　　　　外部放熱手段
４　　　　　加熱手段
６　　　　　管
７　　　　　給湯路
８　　　　　エアー抜き手段を構成するエアー抜き路
９　　　　　エアー抜き手段を構成するエアー抜き弁
１９　　　　湯水取り出し路
２１　　　　エアーセパレータ
２４　　　　バーナ燃焼式の加熱装置
ａ　　　　　エアーセパレータに対する湯水取り出し路の接続箇所
ｂ　　　　　エアーセパレータに対する出力用循環回路上流側の接続箇所
ｃ　　　　　エアーセパレータに対する出力用循環回路下流側の接続箇所
Ｅ　　　　　加熱用循環回路
Ｆ　　　　　出力用循環回路
【図１】
2004125301.tif 000003
【図２】
2004125301.tif 000004
【図３】
2004125301.tif 000005
【図４】
2004125301.tif 000006